(57)【要約】【課題】配電系統に接続されている機器に対するノイズなどの悪影響を避けつつ、発電装置の単独運転を防止するための単独運転防止システムを提供する。【解決手段】配電用変電所３における変電所用遮断器８ａの開放時に、配電用変電所３から延出する配電系統４に接続される発電装置１４の単独運転を防止するための単独運転防止システムであって、変電所用遮断器８ａの動作状態を監視する監視手段９と、変電所用遮断器８ａが開放状態にあると監視手段９によって判定された場合に、配電系統４に解列指令信号を注入する信号注入手段１０と、解列指令信号を受信する信号受信手段１１と、信号受信手段１１が解列指令信号を受信した場合に、発電装置１４を配電系統４から解列する、又は発電装置１４の運転を停止させる制御手段１２とを備える。【選択図】  図１
2004187442.tif 000002
【特許請求の範囲】
【請求項１】
配電用変電所における変電所用遮断器の開放時に、前記配電用変電所から延出する配電系統に接続される単数または複数の発電装置の単独運転を防止するための単独運転防止システムであって、
前記変電所用遮断器の動作状態を監視する監視手段と、
前記変電所用遮断器が開放状態にあると前記監視手段によって判定された場合に、前記発電装置を解列させるか又は運転停止させるための解列指令信号を前記配電系統に注入する信号注入手段と、
前記解列指令信号を受信する信号受信手段と、
前記信号受信手段が前記解列指令信号を受信した場合に、前記発電装置を前記配電系統から解列するか又は運転停止させる制御手段とを備える単独運転防止システム。
【請求項２】
前記信号注入手段が、前記単数または複数の発電装置の内の特定の発電装置を解列させるか又は運転停止させるための個別解列指令信号を注入し、
前記信号受信手段が前記個別解列指令信号を受信した場合に、前記制御手段が、前記個別解列指令信号に従って前記特定の発電装置のみを前記配電系統から解列するか又は運転停止させる請求項１に記載の単独運転防止システム。
【請求項３】
前記配電系統上に設けられる絶縁部をバイパスして前記解列指令信号を伝送可能なバイパス手段を更に備える請求項１または請求項２に記載の単独運転防止システム。
【請求項４】
前記バイパス手段が、前記解列指令信号を取得して無線送信可能な無線送信手段と、前記無線送信手段から送信される前記解列指令信号を受信可能な前記信号受信手段とを備えて構成される無線送受信システムである請求項３に記載の単独運転防止システム。
【請求項５】
前記配電系統上に設けられる開閉器において、前記開閉器の動作状態を監視する開閉器監視手段と、前記開閉器が開放状態にあると前記開閉器監視手段によって判定された場合に、前記開閉器の下流側の前記配電系統に前記解列指令信号と同じ信号を注入する第２の信号注入手段とを更に備える請求項１から請求項４の何れか１項に記載の単独運転防止システム。
【発明の詳細な説明】
【０００１】
【発明の属する技術分野】
本発明は、配電用変電所における遮断器の開放時に、前記配電用変電所から延出する配電系統に接続される発電装置の単独運転を防止するための単独運転防止システムに関する。
【０００２】
【従来の技術】
通常の電力供給システムにおいては、電力会社が所有する発電所から送電線（送電系統）、変電所、配電線（配電系統）を介して、需要家の負荷装置へ電力が供給される。また、需要家が発電装置を所有している場合には、その発電装置によって発電された電力がその需要家自身で使用されるだけでなく、余剰電力が配電線に送出されること（逆潮流）もある。ここで、発電装置を電力系統に接続するには、逆潮流を行うか否かに拘わらず、単独運転を防止するシステムを設けておく必要がある。単独運転とは、変電所の遮断器が開放され、その変電所から延出する配電系統が送電系統と切り離された場合、その配電系統に接続されている発電装置から送出される電力により、配電系統内の負荷装置への局所的な電力供給が行われている状態のことである。単独運転が行われていると、上記配電系統が発電所から切り離されていても配電線の保守員等が感電する可能性があるという問題や、再び遮断器が閉じられ、送電系統と配電系統とを連系する際に非同期投入が行われるという問題などがあるため、単独運転をすばやく検出し、発電装置を解列するなどの対策を講じる必要がある。
【０００３】
以上のような問題点を解決するために、単独運転を検出し、防止するためのシステムが提案されている。例えば、配電用変電所側に搬送親装置を、発電装置側に搬送子装置を設けて、配電線を利用して搬送親装置から常時搬送波を送出し、搬送子装置においてこれを常に受信しているシステムがある。この場合、搬送子装置に搬送波が到達しなくなった時に、配電用変電所の遮断器が開放されて発電装置が単独運転状態にあることが検出されるように構成されている（例えば、特許文献１を参照）。
【０００４】
【特許文献１】
特開平８−１９１８３号公報（図１）
【０００５】
【発明が解決しようとする課題】
しかしながら、特許文献１に記載のような単独運転防止システムでは、配電系統に対して搬送波が常に送出されているので、配電系統に接続されている他の機器に対してノイズなどの悪影響が発生する懸念がある。
【０００６】
本発明は上記の問題点に鑑みてなされたものであり、その目的は、配電系統に接続されている機器に対する悪影響を避けつつ、発電装置の単独運転を防止するための単独運転防止システムを提供する点にある。
【０００７】
【課題を解決するための手段】
上記課題を解決するための本発明に係る単独運転防止システムの特徴構成は、配電用変電所における変電所用遮断器の開放時に、前記配電用変電所から延出する配電系統に接続される単数または複数の発電装置の単独運転を防止するための単独運転防止システムであって、前記変電所用遮断器の動作状態を監視する監視手段と、前記変電所用遮断器が開放状態にあると前記監視手段によって判定された場合に、前記発電装置を解列させるか又は運転停止させるための解列指令信号を前記配電系統に注入する信号注入手段と、前記解列指令信号を受信する信号受信手段と、前記信号受信手段が前記解列指令信号を受信した場合に、前記発電装置を前記配電系統から解列するか又は運転停止させる制御手段とを備える点にある。
【０００８】
上記特徴構成により、変電所用遮断器が開放された場合、変電所用遮断器が開放されたことを表す解列指令信号を配電系統に注入し、その解列指令信号の受信をトリガーとして、制御手段が発電装置を配電系統から解列する、又は発電装置の運転を停止させることで、発電装置の単独運転を確実に防止することができる。また、変電所用遮断器が開放された場合にのみ配電系統に対して上記解列指令信号が注入されるので、配電系統に接続されている電気機器などに対するノイズなどの悪影響を排除することができる。
【０００９】
上記課題を解決するための本発明に係る単独運転防止システムの別の特徴構成は、前記信号注入手段が、前記単数または複数の発電装置の内の特定の発電装置を解列させるか又は運転停止させるための個別解列指令信号を注入し、前記信号受信手段が前記個別解列指令信号を受信した場合に、前記制御手段が、前記個別解列指令信号に従って前記特定の発電装置のみを前記配電系統から解列するか又は運転停止させる点にある。
【００１０】
上記特徴構成により、解列又は停止させる発電装置を指定することのできる個別解列指令信号を用いることで、複数の発電装置の内の特定の発電装置のみを選択的に解列又は停止させることができる。その応用として、変電所用遮断器が開放されたとしても、場合によってはあえて特定の発電装置の運転を継続させ、区域を限定して配電系統への電力供給を継続させることもできる。
【００１１】
上記課題を解決するための本発明に係る単独運転防止システムの更に別の特徴構成は、前記配電系統上に設けられる絶縁部をバイパスして前記解列指令信号を伝送可能なバイパス手段を更に備える点にある。
【００１２】
上記特徴構成により、上記解列指令信号が、配電系統上に設けられる変圧器や開閉器などにより構成される絶縁部をバイパスして配電系統上を伝送されるので、上記絶縁部によって解列指令信号の伝送が止められることがなく、確実に信号受信手段によって受信される。その結果、発電装置の単独運転を確実に防止することができる。
【００１３】
上記課題を解決するための本発明に係る単独運転防止システムの更に別の特徴構成は、前記バイパス手段が、前記解列指令信号を無線送信可能な無線送信手段と、前記無線送信手段から送信される前記解列指令信号を受信可能な前記信号受信手段とを備えて構成される無線送受信システムである点にある。
【００１４】
上記特徴構成により、上記解列指令信号が、配電系統上に設けられる変圧器や開閉器などにより構成される絶縁部を無線通信によってバイパスして上記信号受信手段に伝送されるので、上記絶縁部によって解列指令信号の伝送が止められることがなく、確実に信号受信手段によって受信される。その結果、発電装置の単独運転を確実に防止することができる。
【００１５】
上記課題を解決するための本発明に係る単独運転防止システムの更に別の特徴構成は、前記配電系統上に設けられる開閉器において、前記開閉器の動作状態を監視する開閉器監視手段と、前記開閉器が開放状態にあると前記開閉器監視手段によって判定された場合に、前記開閉器の下流側の前記配電系統に前記解列指令信号と同じ信号を注入する第２の信号注入手段とを更に備える点にある。
【００１６】
上記特徴構成により、配電系統上に開閉器が設けられており、その開閉器が開放された場合に、開閉器が開放されたことを表す上記解列指令信号と同じ信号を開閉器の下流側の配電系統に注入し、その信号をトリガーとして、上記制御手段が発電装置を配電系統から解列する、又は発電装置の運転を停止させることができる。その結果、変電所用遮断器または開閉器の何れが開放された場合であっても、確実に発電装置の単独運転を防止することができる。特に、配電用変電所の下流側の配電系統に連系されている全ての発電装置を一括して解列するのではなく、開閉器が開放された場合、その開閉器の下流側の配電系統に連系されている発電装置のみを解列させる、又は発電装置の運転を停止させるという局所的な単独運転防止対策を施すことができる点で好ましい。
【００１７】
【発明の実施の形態】
本発明に係る単独運転防止システムは、発電所から需要家へと至る電力供給系統において変電所（配電用変電所）の遮断器が開放された場合に、その変電所よりも下流側にある配電系統に設けられた発電装置が単独運転することを防止するためのシステムである。以下には、発電所から需要家への電力供給系統の構成について図１を参照して説明する。
【００１８】
図１に例示するのは、発電所から需要家へ至る電力供給系統の概略図である。まず、発電所１から送電系統２へと送出された電力は、変電所（配電用変電所）３において電圧が調整された後、配電系統４に送出されて需要家５、６へ供給される。尚、発電所１から需要家５、６へ至る電力供給系統には複数段階にわたって電圧を変換する複数の変電所が設けられることもあるが、図１にはそれらの変電所の内、配電系統４に電力を供給するための電圧調整を行っている配電用変電所のみを図示している。
【００１９】
変電所３は、電圧を調整するための変圧器７と配電系統４への電力の供給をストップするスイッチである変電所用遮断器８ａとを備えて構成され、通常、電圧を６６００ボルトに調整して配電系統４に送電する。また、配電系統４において事故が発生した場合には変電所用遮断器８ａが開放され、変電所３より下流側の配電系統４と送電系統２との連系が解除される。
【００２０】
配電系統４には需要家５、６が接続されており、中には需要家６のように発電装置１４を有するものもある。従って、需要家６は需要家用遮断器８ｂを介して配電系統４から電力の供給を受けて負荷装置１３において電力を消費しつつ、発電装置１４において発電を行っている。尚、負荷装置１３および発電装置１４の双方に、負荷装置用遮断器８ｃおよび発電装置用遮断器８ｄがそれぞれ設けられ、それらの遮断器を開放することで負荷装置１３および発電装置１４を配電系統４から解列することが可能である。尚、発電装置１４に対して停止指令信号を与えることで発電装置１４の運転を停止させ、その結果として発電装置１４の単独運転を防止することも可能である。
【００２１】
＜第１実施形態＞
次に、配電系統４において事故が発生するなどの理由により変電所用遮断器８ａが開放された場合に発電装置１４の単独運転を防止することのできる本発明の第１実施形態に係る単独運転防止システムの構成について図１を参照して説明する。
図１に例示する単独運転防止システムは、変電所用遮断器８ａの動作状態を監視する監視手段９と、変電所用遮断器８ａが開放状態にあると監視手段９によって判定された場合に、配電系統４に解列指令信号を注入する信号注入手段１０と、解列指令信号を受信する信号受信手段１１と、信号受信手段１１が解列指令信号を受信した場合に、発電装置用遮断器８ｄの開放操作を行って発電装置１４を配電系統４から解列する制御手段１２とを備えて構成される。尚、図１から図４には示していないが、信号受信手段１１が解列指令信号を受信した場合に、制御手段１２から発電装置１４に対して停止指令信号を与えることで発電装置１４の運転を停止させ、その結果として発電装置１４の単独運転を防止することも可能である。
【００２２】
ここで、変電所用遮断器８ａが開放された場合、変電所用遮断器８ａの動作状態を監視する監視手段９は、変電所用遮断器８ａの開放状態を検知し、信号注入手段１０に変電所用遮断器８ａが開放（遮断）されたことを知らせる。次に、信号注入手段１０は、商用電源周波数と区別可能な所定の周波数のパルス信号（解列指令信号）を生成し、配電系統４に注入する。尚、変電所用遮断器８ａが開放されたことが監視手段９から知らされた後、すぐに信号注入手段１０が解列指令信号を生成して配電系統４に注入するのではなく、所定時間経過してから信号注入手段１０が解列指令信号を生成して配電系統４に注入するように構成することもできる。
【００２３】
次に、配電系統４に注入された解列指令信号は需要家６の信号受信手段１１に受信される。信号受信手段１１が解列指令信号を受信した場合、制御手段１２は発電装置用遮断器８ｄの開放操作を行って発電装置１４を配電系統４から解列させるか、或いは発電装置１４に対して停止指令信号を与えて発電装置１４の運転を停止させる。その結果、発電装置１４の単独運転が防止される。
【００２４】
＜第２実施形態＞
次に、本発明の第２実施形態に係る単独運転防止システムの構成について図２を参照して説明する。
図２に例示するように、配電系統４には区分開閉器１５や柱上トランスのような変圧器１６が設けられている。変圧器１６の上流側の配電系統４と下流側の配電系統とは絶縁されており、信号注入手段１０によって配電系統４に注入された解列指令信号は大幅に減衰されて変圧器１６の下流側には伝送されることになる。また、区分開閉器１５が開放されている場合にも、区分開閉器１５の上流側の配電系統４と下流側の配電系統４とは絶縁されるため、信号注入手段１０によって配電系統４に注入された解列指令信号は区分開閉器１５の下流側には伝送されないことがある。
【００２５】
従って、図２に例示する単独運転防止システムでは、変電所用遮断器８ａの動作状態を監視する監視手段９と、変電所用遮断器８ａが開放状態にあると監視手段９によって判定された場合に、配電系統４に解列指令信号を注入する信号注入手段１０と、解列指令信号を受信する信号受信手段１１と、信号受信手段１１が解列指令信号を受信した場合に、発電装置用遮断器８ｄの開放操作を行って発電装置１４を配電系統４から解列する、又は発電装置１４の運転を停止させる制御手段１２とに加えて、配電系統４に設けられた絶縁部（変圧器１６や一時的な絶縁状態を形成する区分開閉器１５などを含めて絶縁部と呼ぶ）をバイパスして解列指令信号を伝送可能なバイパス手段１７を備えて構成される。その結果、解列指令信号を確実に需要家６へ伝送し、信号受信手段１１で受信されるので、発電装置１４の単独運転を確実に防止することができる。ここで、バイパス手段１７の例としては、解列指令信号の周波数を選択的に通過させることができるバンドパスフィルタなどがある。
【００２６】
＜第３実施形態＞
次に、本発明の第３実施形態に係る単独運転防止システムの構成について図３を参照して説明する。
【００２７】
図３に例示する単独運転防止システムは、バイパス手段が、解列指令信号を取得して無線送信可能な無線送信手段１８と、その無線送信手段１８から送信される解列指令信号を受信可能な信号受信手段１９とを備える無線送受信システムで構築されている点で図２に例示した単独運転防止システムと異なる。図３に例示する単独運転防止システムでは、変圧器１６をバイパスするためのバイパス手段が上記無線送受信システム（無線送信手段１８及び信号受信手段１９）によって構築されている。
【００２８】
例えば、配電用変電所３の信号注入手段１０によって解列指令信号が配電系統４に注入され、伝送された場合、無線送信手段１８は、変圧器１６の上流側（配電用変電所３側）でその解列指令信号を取得し、需要家２０へ無線送信する。信号受信手段１９が解列指令信号を受信した場合、制御手段１２は発電装置用遮断器８ｄの開放操作を行って発電装置１４を配電系統４から解列させるか、或いは発電装置１４に対して停止指令信号を与えて発電装置１４の運転を停止させる。その結果、発電装置１４の単独運転が防止される。
【００２９】
更に具体的な例を挙げると、変圧器１６は配電系統４上の柱上トランスである。柱上トランスは各需要家の近くに設置されていることが多いため、解列指令信号の送信を柱上トランスに設けられた無線送信手段１８から需要家２０に設けられた信号受信手段１９への短距離の無線送信で行えばよいという利点がある。
【００３０】
＜第４実施形態＞
次に、本発明の第４実施形態に係る単独運転防止システムの構成について図４を参照して説明する。
【００３１】
図４に例示する単独運転防止システムは、配電系統４に設けられている区分開閉器１５において、区分開閉器１５の動作状態を監視する開閉器監視手段２１と、区分開閉器１５が開放状態にあると開閉器監視手段２１によって判定された場合に、区分開閉器１５の下流側の配電系統４に上記解列指令信号と同じ信号を注入する信号注入手段２２（第２の信号注入手段）を備えて構築されている点で図２に例示した単独運転防止システムと異なる。
【００３２】
例えば、図４に例示する単独運転防止システムでは、区分開閉器１５に開閉器監視手段２１と信号注入手段２２とが設けられており、区分開閉器１５の動作状態の監視が開閉器監視手段２１によって行われ、区分開閉器１５が開放状態にあると開閉器監視手段２１によって判定された場合には、区分開閉器１５の下流側の配電系統４に上記解列指令信号と同じ信号の注入が信号注入手段２２によって行われる。そして、信号注入手段２２によって注入された信号は信号受信手段１１によって受信され、制御手段１２によって発電装置用遮断器８ｄの開放操作が行われる。従って、変電所用遮断器８ａまたは区分開閉器１５の何れが開放された場合であっても、確実に発電装置１４の単独運転を防止することができる単独運転防止システムが提供される。
【００３３】
例えば、変電所用遮断器８ａが開放された場合の単独運転を防止するために、変電所用遮断器８ａの動作状態を監視する監視手段９と、変電所用遮断器８ａが開放状態にあると監視手段９によって判定された場合に、配電系統４に解列指令信号を注入する信号注入手段１０とが設けられている。ただ、配電系統４の工事などのため、変電所用遮断器８ａが開放されないにも拘わらず区分開閉器１５が開放されることがあるのだが、そのような場合には、区分開閉器１５よりも下流側に設けられた発電装置１４は単独運転状態となってしまう。しかし、上述したように、開閉器監視手段２１と信号注入手段２２とが追加で設けられていることで、区分開閉器１５が開放された場合に発生し得る単独運転状態を確実に防止することができる。
【００３４】
以上の実施形態では、信号注入手段１０（又は信号注入手段２２）は監視手段９が変電所用遮断器８ａが開放状態にあると判定したことをトリガーとして解列指令信号を生成し、配電系統４にその解列指令信号の注入を行う場合の説明を行ったが、信号注入手段１０が変電所用遮断器８ａの動作状態に関する情報以外の他の情報を入手し、それらの情報に基づいて、解列指令信号を生成するか否かを決定するように構成することもできる。
【００３５】
図５に例示するのは信号注入手段１０の機能ブロック図であり、ＡＮＤブロック２３とＯＲブロック２４と注入信号生成部２５とを備えて構成される。尚、信号注入手段２２の構成は信号注入手段１０と同様であるため、説明は省略する。ＡＮＤブロック２３に対しては入力端子Ａ１〜Ａｎから情報が入力され、ＯＲブロック２４に対してはＡＮＤブロック２３及び入力端子Ｏ１〜Ｏｎから情報が入力される。例えば、上述の第１実施形態から第４実施形態の場合、ＯＲブロック２４の入力端子Ｏ１のみに監視手段９の出力が接続されている。そして、変電所用遮断器８ａが開放状態にあると監視手段９によって判定された場合、監視手段９から信号”１（オン）”が入力端子Ｏ１に与えられる。その結果、ＯＲブロック２４からは信号”１”が出力され、注入信号生成部２５において解列指令信号が生成される。
【００３６】
尚、他にも、ＡＮＤブロック２３の入力端子Ａ１〜Ａｎに変電所の重故障とこれに関する特定の条件のような情報が入力される場合や、ＯＲブロック２４の入力端子Ｏ１〜Ｏｎに配電系統４で地絡が発生しているか否かの情報や計画停電や配電系統４の構成変更等のような情報が入力されることがあり、それらの情報に基づいて解列指令信号を生成するか否かを決定することができる。
【００３７】
図６に例示するのは制御手段１２の機能ブロック図であり、ＡＮＤブロック２６とＯＲブロック２７と制御信号生成部２８とを備えて構成される。ＡＮＤブロック２６に対しては入力端子Ａ’１〜Ａ’ｎから情報が入力され、ＯＲブロック２７に対しては入力端子Ｏ’１〜Ｏ’ｎから情報が入力される。
【００３８】
例えば、上述の第１実施形態から第４実施形態の場合、ＯＲブロック２７の入力端子Ｏ’１のみに信号受信手段１１（１９）の出力が接続されている。そして、信号受信手段１１（１９）が解列指令信号を受信した場合に、信号受信手段１１（１９）から信号”１（オン）”が入力端子Ｏ’１に与えられる。その結果、ＯＲブロック２７からは信号”１”が出力され、制御信号生成部２８において発電装置用遮断器８ｄの開放操作を行わせるための制御信号、または発電装置１４の運転を停止させるための停止指令信号が生成される。尚、他にも、ＡＮＤブロック２６の入力端子Ａ’１〜Ａ’ｎに発電装置１４の運転状態信号や、需要家用遮断器８ｂの開放状態信号が入力される場合や、ＯＲブロック２７の入力端子Ｏ’１〜Ｏ’ｎに信号受信手段１１（１９）からの入力情報と併せて、系統連系用の保護装置の動作信号のような情報が入力される場合もある。
【００３９】
ＡＮＤブロック２６の入力端子Ａ’１に信号受信手段１１（１９）の出力が接続され、且つ入力端子Ａ’２に発電装置１４の運転状態がオン／オフで入力される場合では、信号受信手段１１（１９）が解列指令信号を受信し（入力端子Ａ’１に信号”１（オン）”が与えられる）、且つ発電装置１４が運転を行っている場合（入力端子Ａ’２に信号”１（オン）”が与えられる）にのみ、発電装置１４を配電系統４から解列するべく、制御信号生成部２８において発電装置用遮断器８ｄの開放操作を行わせるための制御信号が生成されるか、或いは発電装置１４の運転を停止させるべく、制御信号生成部２８において発電装置の運転を停止させるための停止指令信号が生成される。
【００４０】
上述の第１実施形態から第４実施形態では、発電装置１４と信号受信手段１１と制御手段１２とを有する１つの需要家６が配電系統４に接続されている場合について説明したが、同様の発電装置１４と信号受信手段１１と制御手段１２とを有する複数の需要家６が配電系統４に接続されていることもある。その場合には、各需要家６の信号受信手段１１が、変電所３の信号注入手段１０によって注入された解列指令信号を個別に受信し、それに応じて各制御手段１２が発電装置用遮断器８ｄの開放操作を個別に行って発電装置１４を配電系統４から解列するか又は発電装置１４の運転を停止させることで、配電系統４に接続されているすべての発電装置１４の単独運転が防止される。
【００４１】
また、信号注入手段１０が、複数の発電装置の内の特定の発電装置を解列させるか又は運転停止させるための個別解列指令信号を生成して注入することで、配電系統４に接続されている複数の発電装置の内の特定の発電装置のみを選択的に解列又は運転停止させるべく、各制御手段１２を動作させることもできる。その応用として、変電所用遮断器８ａが開放されたとしても、場合によってはあえて特定の発電装置１４の運転を継続させ、区域を限定して配電系統４への電力供給を継続させることもできる。個別解列指令信号としては、上述の第１実施形態から第４実施形態と同様に商用電源周波数と区別可能な様々な周波数のパルス信号を用いることができ、各発電装置１４を個別に指定して解列又は運転停止をさせるためには、周波数の異なる様々なパルス信号が信号注入手段１０において生成され、配電系統４に注入される。尚、上述のバイパス手段１７としてバンドパスフィルタを用いる場合には、信号注入手段１０において生成される様々な周波数のパルス信号を選択的に通過させることができるようなフィルタを用いる必要がある。
【００４２】
例えば、信号注入手段１０が、複数の発電装置の内の特定の１つの発電装置（以下、「対象発電装置」と呼ぶ）を解列させるか又は運転停止させるための個別解列指令信号を生成して注入した場合、上述の対象発電装置１４と共に設けられた制御手段１２はその対象発電装置１４が解列又は運転停止の対象になっていることを識別して、上述の対象発電装置１４を配電系統４から解列するか又は対象発電装置１４の運転を停止させる。他方で、対象発電装置１４には該当しない対象外発電装置１４と共に設けられた制御手段１２は、対象外発電装置１４の解列及び運転停止のどちらも行わない。
【図面の簡単な説明】
【図１】本発明の第１実施形態に係る単独運転防止システムの構成図である。
【図２】本発明の第２実施形態に係る単独運転防止システムの構成図である。
【図３】本発明の第３実施形態に係る単独運転防止システムの構成図である。
【図４】本発明の第４実施形態に係る単独運転防止システムの構成図である。
【図５】信号注入手段の機能ブロック図である。
【図６】制御手段の機能ブロック図である。
【符号の説明】
１  発電所
２  送電系統
３  変電所
４  配電系統
５  需要家
６  需要家
７  変圧器
８ａ  変電所用遮断器
８ｂ  需要家用遮断器
８ｃ  負荷装置用遮断器
８ｄ  発電装置用遮断器
９  監視手段
１０  信号注入手段
１１  信号受信手段
１２  制御手段
１３  負荷装置
１４  発電装置
１５  区分開閉器
１６  変圧器
１７  バイパス手段
１８  無線送信手段
１９  信号受信手段
２０  需要家
２１  開閉器監視手段
２２  信号注入手段
２３  ＡＮＤブロック
２４  ＯＲブロック
２５  注入信号生成部
２６  ＡＮＤブロック
２７  ＯＲブロック
２８  制御信号生成部
【図１】
2004187442.tif 000003
【図２】
2004187442.tif 000004
【図３】
2004187442.tif 000005
【図４】
2004187442.tif 000006
【図５】
2004187442.tif 000007
【図６】
2004187442.tif 000008